(57)【要約】【課題】取付、取り外しが簡単で、たるみの少ない工事現場用のドームテントを提供する。【解決手段】この発明は、作業現場用ドームテントに関し、作業スペース２を囲う仮設構造物３の上部開口端側を覆うシートと、上記仮設構造物とシートを着脱自在に連結してシートを伸展保持せしめるシート連結具１２とからなるテント４を改良するものである。先ず仮設構造物３に囲まれるシート上面に、内部に気体を注入することにより上方に膨出するドーム部６を設ける。該ドーム部６が気体を注入することにより上方に膨出してドームを形成するドームシート６ａと、該ドームシート６の下端を覆ってドーム内を密閉空間に形成する底部シート６ｂとから構成され、上記ドーム部６の周縁部にはテント４を仮設構造物３側に連結するシート連結部１２を備えた周縁シート７を突出させて設けている。仮設構造物３内には、空気注入状態で張設されるテント４の底部シート６ｂ又は底部シート６ｂと周縁シート７を上向きに支持するロープ又はネット等からなるテント支持部材１３を張設する。【選択図】　　　　　図１
2004068376.tif 000002
【特許請求の範囲】
【請求項１】
作業スペース（２）を囲う仮設構造物（３）の上部開口端側を覆うシートと、上記仮設構造物とシートを着脱自在に連結してシートを伸展保持せしめるシート連結具（１２）とからなるテント（４）において、前記仮設構造物（３）に囲まれるシート上面に、内部に気体を注入することにより上方に膨出するドーム部（６）を設け、該ドーム部（６）が気体を注入することにより上方に膨出してドームを形成するドームシート（６ａ）と、該ドームシート（６）の下端を覆ってドーム内を密閉空間に形成する底部シート（６ｂ）とから構成され、上記ドーム部（６）の周縁部にはテント（４）を仮設構造物（３）側に連結するシート連結部（１２）を備えた周縁シート（７）を突出させて設けた作業現場用ドームテント。
【請求項２】
仮設構造物（３）内に張設され、空気注入状態で張設されるテント（４）の底部シート（６ｂ）又は底部シート（６ｂ）と周縁シート（７）を上向きに支持するテント支持部材（１３）を設けてなる請求項１の作業現場用ドームテント。
【請求項３】
ドーム部（６）の下部側周縁の所定高さ部分を覆うようにドーム部（６）に被せられてドーム部（６）の下半部の膨出を所定形状に規制するドームネット（１６）と、該ドームネット（１６）の下端周縁とドーム部（６）の下端側周縁位置とを着脱可能に連結固定するネット取付具（１７）とを設けてなる請求項１又は２の作業現場用ドームテント。
【請求項４】
仮設構造物（３）の上部開口空間を覆うように仮設構造物（３）に張設され、底部シート（６ｂ）又は底部シート（６ｂ）と周縁シート（７）を下面側より平坦面上で支持するテント支持部材（１３）としてのテント支持ネット（１３）と、該テント支持ネット（１３）を仮設構造物（３）に着脱可能に連結するネット連結具（１４）とを設けてなる請求項１，２又は３の作業現場用ドームテント。
【請求項５】
ドーム部（６）が周縁シート（７）の中央に設けられ、少なくともシートの中央部が球面状又はかまぼこ型に突出してドームを形成する請求項１，２，３又は４の作業現場用ドームテント。
【請求項６】
ドーム部（６）への気体注入時にドームシート（６ａ）が上方に膨出し底部シート（６ｂ）が下方に膨出するのを抑制するように上下端がそれぞれドームシート（６ａ）と底部シート（６ｂ）とに固着又は連結される内部規制部材（６ｃ）を設けてなる請求項１，２，３，４又は５の作業現場用ドームテント。
【請求項７】
仮設構造物（３）の上部に張設したテント（４）の一端のみを残して取り外した状態で、該取り外し端に連結され、低比重ガスを封入することによりテント（４）を連結取付側上方に浮上支持させるバルーン（１８）を設けてなる請求項１，２，３，４，５又は６の作業現場用ドームテント。
【発明の詳細な説明】
【０００１】
【発明の属する技術分野】
この発明は建築現場等の作業現場で、雨天時に使用するドームテントに関する。
【０００２】
【従来の技術及び発明が解決しようとする課題】
従来建築工事現場で雨天時等に使用するテントとしては、建物の位置の外周に仮設した足場内にロープを張設してテントを張るもの（特開平７−１２７２７４号）が知られているが、ロープを水平に張る場合はテントの広さに対してロープ本数が少ない場合は、ロープ間のテントのたるみ部分に雨水が溜まってロープや足場による支持では耐えられなくなり、あるいはテントの裂損や水洩れを招く等の問題がある。また上記例ではロープ自体を屋根型に張るための独自の構造物を必要とし、作業スペースの形状や大きさの変動に対応できない等の欠点がある。
【０００３】
このほかテント支持用の支柱や梁等の構造物を足場とは別に設ける場合が多く、この場合もコスト的にも高くなるほか、クレーンを用いる現場ではその都度支柱等の骨組を除去する必要がある等の欠点がある。
【０００４】
また屋根材の浮上支持をヘリウム等の低比重ガスを充填した気球の浮力によるもの（特開平６−３０７１２６号）や、防水シート自体を低比重ガス封入型のものにして浮上させるもの（特開平５−１０６３６９号）等が知られているが、テントの屋根部分を屋根形状に保持しながら浮上支持させるためには、多量の低比重ガスを必要とし、工事に対するコスト負担の過大化を免れない。
この発明はこれらの問題点を解消又は改善するドームテントを提供せんとするものである。
【０００５】
【課題を解決するための手段】
上記課題を解決するこの発明のテントは、第１に作業スペース２を囲う仮設構造物３の上部開口端側を覆うシートと、上記仮設構造物とシートを着脱自在に連結してシートを伸展保持せしめるシート連結具１２とからなるテント４において、前記仮設構造物３に囲まれるシート上面に、内部に気体を注入することにより上方に膨出するドーム部６を設け、該ドーム部６が気体を注入することにより上方に膨出してドームを形成するドームシート６ａと、該ドームシート６の下端を覆ってドーム内を密閉空間に形成する底部シート６ｂとから構成され、上記ドーム部６の周縁部にはテント４を仮設構造物３側に連結するシート連結部１２を備えた周縁シート７を突出させて設けたことを特徴としている。
【０００６】
第２に、仮設構造物３内に張設され、空気注入状態で張設されるテント４の底部シート６ｂ又は底部シート６ｂと周縁シート７を上向きに支持するテント支持部材１３を設けてなることを特徴としている。
【０００７】
第３に、ドーム部６の下部側周縁の所定高さ部分を覆うようにドーム部６に被せられてドーム部６の下半部の膨出を所定形状に規制するドームネット１６と、該ドームネット１６の下端周縁とドーム部６の下端側周縁位置とを着脱可能に連結固定するネット取付具１７とを設けてなることを特徴としている。
【０００８】
第４に、仮設構造物３の上部開口空間を覆うように仮設構造物３に張設され、底部シート６ｂ又は底部シート６ｂと周縁シート７を下面側より平坦面上で支持するテント支持部材１３としてのテント支持ネット１３と、該テント支持ネット１３を仮設構造物３に着脱可能に連結するネット連結具１４とを設けてなることを特徴としている。
【０００９】
第５に、ドーム部６が周縁シート７の中央に設けられ、少なくともシートの中央部が球面状又はかまぼこ型に突出してドームを形成することを特徴としている。
【００１０】
第６に、ドーム部６への気体注入時にドームシート６ａが上方に膨出し底部シート６ｂが下方に膨出するのを抑制するように上下端がそれぞれドームシート６ａと底部シート６ｂとに固着又は連結される内部規制部材６ｃを設けてなることを特徴としている。
【００１１】
第７に、仮設構造物３の上部に張設したテント４の一端のみを残して取り外した状態で、該取り外し端に連結され、低比重ガスを封入することによりテント４を連結取付側上方に浮上支持させるバルーン１８を設けてなることを特徴としている。
【００１２】
【発明の実施の形態】
以下図示する本発明の実施の形態につき詳述する。図１〜図４は本発明の１実施例を示し、この例では家屋１（図４）等の建築現場における作業（工事）スペース２のまわりに公知の足場３からなる仮設構造物が角筒状に組み立てられ、その上部開放端を塞ぐようにテント４が張設されている。
【００１３】
このテント４は半球状のドーム部６を付設し、その周縁部には全体として長方形の周縁シート７が外周方向に突出するように一体的に設けられている。そしてドーム部６は球面状に上方に突出するビニール等の合成樹脂材等からなるドームシート６ａと、該ドームシート６ａの下部開放端を塞ぐように付着される平坦な合成樹脂シートからなる底部シート６ｂとで構成され、その内部は空気等の気体を注入する密閉空間を形成している。
【００１４】
上記ドーム部６はドームシート６ａが半球状に形成されているのに対し、底部シート６ｂが平坦な円形シートなので、内部に空気等を注入すると上面側は半球状に膨らむが、それ自体の形状により、又は底部シート６ｂを厚めのシートとし、又は内部や裏面にネット状の補強材（図示しない）等を設けることにより、底部シート６ｂは下方への膨らみを抑制することができる。
【００１５】
ドーム部６には例えば底部シート６ｂの一部に気体導入口８（図３）が設けられ、下部の作業スペース２に設置したポンプ又はファン等の送風機９との間をホース１１と接続して、ドーム部６内に空気注入が行われる機構となっている。
【００１６】
前記周縁シート７はその外周縁に所定ピッチで多数の連結孔１２が設けられ、この連接孔１２と図示しないフック，紐等とでシート連結具を構成し、その連結具によってシート端を足場３の上端側に連結し、テント４が伸展状態で緊張され張設される。
【００１７】
周縁シート７は図３に示すように底部シート６ｂの延長端であっても、また底部シート６ｂとは別部材としてドーム部６と一体的に取り付けてもよい。そして上述した底部シート６ｂと同様にシートの厚みを厚くし又は繊維ネット等による補強を行ってもよい。
【００１８】
またドーム部６に空気を導入したテント張設状態におけるシート６ａ，７の平坦状態又は水平状態を保持するためにテント張設に先立ち、足場３の上部開放端内にテント支持用の部材としてのネット１３を予め張設しておくことができ、このテント支持ネット１３を張設することにより、底部シート６ｂの下方への膨らみを抑制するとともに、テント表面（特に周縁シート７の表面）の垂れ下がりを防止し、雨水溜まり等による水漏れやテント，足場等への荷重負荷が防止でき、雨水のスムースな排水が実現できる。テントが大型化する場合等には特に効果がある。
【００１９】
またこのテント支持部材１３は、空気注入時に下方にも膨出し勝ちなドーム部６の底部シート６ｂを、下側から上向きに押し上げて支えることにより、周縁シート７の内端部を上方に持ち上げ、周縁シート７の外側方への下降傾斜を促進し、雨水の外側へのスムースな流出に効果的である、このためテント支持部材１３は必ずしもネットである必要はなく、底部シート６ｂ部分を上向きに押し上げて支持するロープ等を足場３に張設することによって代用することも可能である。
【００２０】
このネット１３の外周にも、ネット１３を足場３に連結固定し且つネットを張設するための紐やフック，バンド等のネット連結具（図示しない。但し図５には符号１４として表示）が設けられる。
【００２１】
上記ドーム部６の少なくとも下部外周には、空気注入時にドームシート６ａに過大な圧力が作用したり、ドーム形状が変形したりするのを防止するためのドーナツ状のドームネット１６が被覆されており、該ドームネット１６の下端周縁とドーム部６の外周縁には、ネット１６をドーム部６又は周縁シート７側に着脱可能に連結固定するフック１７ａと係止リング１７ｂとからなるネット取付具１７が設けられている。
【００２２】
上記の構造により、ドーム部６内に空気等を注入すると、ドーム部６の適正な形状が保持されるほか、ネット１６によってその周辺のシートが上方に向かって引き上げられる作用があり、周辺部シートの垂れ下がりを防止する効果がある。
【００２３】
テント４は上記のように比較的簡単に取り外しが可能なので、例えば作業スペース２内に建材等を持ち込む場合のようにクレーンを使用する場合は、テントを取り外してクレーンによる昇降スペースを確保することができるが、この時図４に示すように足場３の一辺のみテント４やネット１３の連結を残しておき、その取り外し端に対し、ヘリウムガス等のような低比重ガスを封入したバルーン１８をロープ１９等で接続することにより、取り外し状態のテント４を上方に浮上させて保持し、クレーン作業終了時に再度簡単にテント４，ネット１３を張設復元することができる。
【００２４】
図５はこの発明の他の実施例を示し、前述したものに比して足場３及びテント４の平面視形状が長方形であり、他の部分もこれに対応している点に特徴がある。またドーム部６内には、内部を十字形に仕切るように、その周縁がドームシート６ａと底部シート６ｂに付着固定される仕切壁状のシートからなる内部規制部材６ｃが設けられ、該内部規制部材６ｃには仕切られた各室を連通せしめる連通孔６ｄが設けられている。
【００２５】
上記の例では、ドーム部６の平面視サイズが足場３の上部開口部と略一致しているためテント４の屋根部全体がドームになり、周縁シート７は足場３に取り付けた状態ではその上端側外周を壁状に覆う構造になる。そして周縁シート７の周縁には取付孔と連結紐からなる足場３側への連結部１２が設けられており、テント支持ネット１３の外周にもロープ等からなるネット連結具１４が設けられている。
【００２６】
上記以外の点は図１〜図４に示すドームテントと略共通の構成となっており、これらの共通部分の符号はすべて図１〜図４に用いた符号と共通であり、詳細な構造等の説明を割愛する。
【００２７】
ドーム部６内の内部規制部材６ａは、空気等の注入時に、ドームシート６ａがドーム状に膨らむのに対し、底部シート６ｂをできるだけ平坦な状態に維持させるのに効果的であり、連通孔６ｄは空気注入時に内部に空気を均一に行きわたらせるためのものである内部規制部材６ｃは必ずしも壁状である必要はなく、紐状又は帯状のものであってもよい。
【００２８】
なお上記実施形態では、建築現場用のテントについて述べたが、本発明のテントはその他の工事現場や作業現場又はイベント会場用等の仮設テントとしても使用できる。またテント生地やネット類の素材はその状態に適合する限り自由に選択できるものである。
【００２９】
【発明の効果】
この発明は以上のように構成されるので、以下のような作用効果を奏するものである。
ドーム部への空気等の注入によりドームシートが上面側に膨出して雨水を下方に導いて流出させるとともに、周縁シートは緩やかな外方向きの下降傾斜面又は水平面に近い面を保持するので、ドーム屋根より導かれた雨水は常に下方のシート面に沿ってテント周縁側にスムースに導かれて排出される。ドーム部に注入される気体は空気を利用できるので、低比重ガスのように高コストにならない。
【００３０】
また上記テント構造によりテント中央が垂れ下がって窪むことによる雨水溜まり、雨水洩れ、さらにその水溜まりによるテントや仮設構造物への過大な負荷、その負荷によるテントや仮設構造物の損傷、崩落等の問題の発生が防止される。
【００３１】
ドーム部のまわりに周縁シートを設けることにより、前述したようにドームまわりの上面に大きい水溜まりを形成することがなく、ドーム表面から流れ落ちる雨水を外周側に導いてスムースに排水させるとともに、ドーム底面に対して仮設構造物上部開放端の面積が広い場合も、この周縁シートによってテントの不足面積を補うことができ、仮設構造物の上部開放端面積の大小に対応できる利点がある。
【００３２】
ドームネットはドーム周面下半部を覆ってその周縁側に固定することにより、球面形状等のドーム形状を適正に保持し、且つ気体注入によるドームシートへの過大な負荷をカバーし、補強する利点がある。
【００３３】
またテント支持部材はテント上面の垂れ下がりと、水溜まりを防止し、このことから派生する諸問題の発生を防止する。
【００３４】
さらにこの発明では足場等の仮設構造物にテントを張るだけで、テント張り用の支柱その他の構造物を必要としないので、労力及びコストの面での利点があり、逆に建設現場等でクレーンを使用する場合はテントを取り外すだけでクレーン使用空間が確保できる。
【００３５】
そしてテント取り外し状態の保持は、低比重ガスを封入したバルーン等により簡単に行うことができる。
【図面の簡単な説明】
【図１】本発明の実施例を示す全体斜視図である。
【図２】本発明のテントの平面図である。
【図３】同じく本発明のテントの部分拡大断面図である。
【図４】テントを取り外して浮上保持した状態の説明図である。
【図５】他の実施例を示すテント張り状態の全体斜視図である。
【符号の説明】
２　　　作業スペース
３　　　足場（仮設構造物）
４　　　テント
６　　　ドーム部
６ａ　　ドームシート
６ｂ　　底部シート
６ｃ　　内部規制部材
７　　　周縁シート
８　　　気体注入口
９　　　送風機・ポンプ
１２　　シート連結具
１３　　テント支持ネット（テント支持部材）
１４　　ネット連結具
１６　　ドームネット
１７　　ネット取付具
【図１】
2004068376.tif 000003
【図２】
2004068376.tif 000004
【図３】
2004068376.tif 000005
【図４】
2004068376.tif 000006
【図５】
2004068376.tif 000007